(57)【要約】【課題】簡易な構成で定着ベルトのコーティングの摩耗を低減させることができる画像形成装置を提供することである。【解決手段】画像形成装置は、用紙に画像を形成する。画像形成装置は、画像形成部１５と、定着ベルト２９ａと、用紙搬送部２５と、用紙移動制御部１２１と、を備える。画像形成部１５は、トナー像を形成して用紙に転写する。定着ベルト２９ａは、画像形成部１５により用紙に転写されたトナー像を定着させる。用紙搬送部２５は、画像形成部１５から定着ベルト２９ａに用紙を搬送し、画像形成部１５および定着ベルト２９ａとの間に配置され、主走査方向に移動可能な搬送ローラー３３を含む。用紙移動制御部１２１は、用紙搬送部２５により搬送される用紙が定着ベルト２９ａに到達する前に、所定のタイミングで搬送ローラー３３を主走査方向に移動させて、用紙を主走査方向に移動させる。【選択図】図４
2018155859.tif 000002
【特許請求の範囲】
【請求項１】
用紙に画像を形成する画像形成装置であって、
トナー像を形成して前記用紙に転写する画像形成部と、
前記画像形成部により前記用紙に転写されたトナー像を定着させる定着ベルトと、
前記画像形成部から前記定着ベルトに前記用紙を搬送し、前記画像形成部および前記定着ベルトとの間に配置され、主走査方向に移動可能な搬送ローラーを含む用紙搬送部と、
前記用紙搬送部により搬送される前記用紙が前記定着ベルトに到達する前に、所定のタイミングで前記搬送ローラーを主走査方向に移動させて、前記用紙を主走査方向に移動させる用紙移動制御部と、を備える、画像形成装置。
【請求項２】
前記定着ベルトに搬送される前記用紙の枚数を記憶する記憶部をさらに備え、
前記所定のタイミングが、前記記憶部により記憶された前記用紙の枚数を積算した積算値を算出し、前記積算値が所定の枚数を超えたタイミングである、請求項１に記載の画像形成装置。
【請求項３】
前記用紙移動制御部は、前記用紙の枚数の前記積算値が所定の枚数を超えた際に、前記記憶部に記憶された前記用紙の枚数をゼロにリセットする、請求項２に記載の画像形成装置。
【請求項４】
前記定着ベルトに搬送される前記用紙の副走査方向の端部の長さを記憶する記憶部をさらに備え、
前記所定のタイミングが、前記記憶部により記憶された前記用紙の副走査方向の端部の長さを積算した積算値を算出し、前記積算値が所定の長さを超えたタイミングである、請求項１〜請求項３のいずれか１項に記載の画像形成装置。
【請求項５】
前記用紙移動制御部は、前記用紙の副走査方向の端部の長さの前記積算値が所定の長さを超えた際に、前記記憶部に記憶された前記用紙の副走査方向の端部の長さをゼロにリセットする、請求項４に記載の画像形成装置。
【請求項６】
前記定着ベルトに搬送される前記用紙の副走査方向の端部と、前記定着ベルトとが当接する際の摩擦力を計測する計測部と、
前記計測部により計測された前記摩擦力を記憶する記憶部と、をさらに備え、
前記所定のタイミングが、前記記憶部により記憶された前記摩擦力を積算した積算値を算出し、前記摩擦力の前記積算値が所定の値を超えたタイミングである、請求項１〜請求項５のいずれか１項に記載の画像形成装置。
【請求項７】
用紙移動制御部は、前記摩擦力の前記積算値が所定の値を超えた際に、前記記憶部に記憶された前記摩擦力をゼロにリセットする、請求項６に記載の画像形成装置。
【発明の詳細な説明】
【技術分野】
【０００１】
この発明は、画像形成装置に関するものである。
【背景技術】
【０００２】
電子写真方式の画像形成装置では、用紙にトナー像が転写される。そして、定着ベルトおよび加圧ローラーの間を用紙が通過して、トナー像は用紙に定着する。
【０００３】
ここで、定着ベルトを含む定着装置において、用紙が通過する通過域を相対的に変化させることで、定着ベルトの摩耗を低減させる技術が、特開２００７−１４８３３６号公報（特許文献１）に開示されている。また、画像形成装置において、給紙トレイから給紙される用紙の横位置を変化させることで、定着ベルトの摩耗を低減させる技術が、特開２０１１−１９１６９４号公報（特許文献２）に開示される。
【０００４】
特許文献１に開示の画像形成装置では、転写定着ローラーの一端部にバネを有する回転可能な端部押圧体が当接し、他端部からはソレノイドに連結された端部押圧体が当接する。ソレノイドは画像形成装置の総通紙枚数の情報に基づき、例えば５００枚毎に６ｍｍのストロークを左右往復するように設定し、それにつれて転写定着ローラーが６ｍｍの幅で移動するように構成する。紙通過域を相対的に移動させることで紙端部による転写定着体の摩耗を低減でき、耐久性を向上させることができる。
【先行技術文献】
【特許文献】
【０００５】
【特許文献１】特開２００７−１４８３３６号公報
【特許文献２】特開２０１１−１９１６９４号公報
【発明の概要】
【発明が解決しようとする課題】
【０００６】
定着ベルトには、トナーが付着しないように定着ベルトの表面にコーティングが施されている。そして、トナー像を用紙に定着させる際に、定着ベルトは用紙に接触しながら回転して、用紙を搬送する。搬送される用紙の多くは、定型の用紙サイズを有する。このため、同じ用紙サイズを有する用紙が繰り返し搬送される。このような場合、用紙の搬送方向に沿った方向である副走査方向の用紙の端部が、定着ベルトの同じ箇所に繰り返し当たる。そのため、定着ベルトの用紙の端部に当たる箇所には、ストレスがかかることとなる。その結果、定着ベルトの用紙の端部と接触する箇所の表面コーティングは剥がれてしまう。この表面コーティングが剥がれた部分に未定着のトナーが溜まり、次に搬送されてくる用紙にトナーが付着して用紙を汚染してしまうこととなる。
【０００７】
また、特許文献１に開示の技術は、転写定着ローラー自体を移動させて、用紙が通過する通過域を相対的に変化させている。また、特許文献２に開示の技術は、用紙を保持する給紙台の位置を移動させて、用紙の位置を移動させている。このように、従来技術では大掛かりな機構が必要となり、好ましくない。
【０００８】
この発明の目的は、簡易な構成で定着ベルトのコーティングの摩耗を低減させることができる画像形成装置を提供することである。
【課題を解決するための手段】
【０００９】
この発明の一の局面において、画像形成装置は、用紙に画像を形成する。画像形成装置は、画像形成部と、定着ベルトと、用紙搬送部と、用紙移動制御部と、を備える。画像形成部は、トナー像を形成して用紙に転写する。定着ベルトは、画像形成部により用紙に転写されたトナー像を定着させる。用紙搬送部は、画像形成部から定着ベルトに用紙を搬送し、画像形成部および定着ベルトとの間に配置され、主走査方向に移動可能な搬送ローラーを含む。用紙移動制御部は、用紙搬送部により搬送される用紙が定着ベルトに到達する前に、所定のタイミングで搬送ローラーを主走査方向に移動させて、用紙を主走査方向に移動させる。
【発明の効果】
【００１０】
このような画像形成装置によれば、用紙が定着ベルトに到達する前に、所定のタイミングで搬送ローラーを主走査方向に移動させて、用紙を主走査方向に移動させる。このようにすることで、定着ベルトにおいて、用紙の副走査方向の端部が当たる定着ベルトの箇所を変えることができる。また、用紙搬送部における搬送ローラーの主走査方向への移動という簡易な構成により、搬送される用紙の位置を変えることができる。従って、簡易な構成で定着ベルトのコーティングの摩耗を低減させることができる。
【図面の簡単な説明】
【００１１】
【図１】この発明の一実施形態に係る画像形成装置を複合機に適用した場合の複合機の外観を示す概略図である。
【図２】図１に示す複合機の構成を示すブロック図である。
【図３】用紙が搬送ローラーを通過する状態を示す模式図である。
【図４】定着ベルトに搬送される用紙の枚数が所定の枚数を超えた際に用紙を主走査方向に移動する場合の処理の流れを示すフローチャートである。
【図５】用紙が搬送ローラーを通過する状態を示す模式図である。
【図６】用紙が搬送ローラーを通過する状態を示す模式図である。
【発明を実施するための形態】
【００１２】
以下、この発明の実施の形態を説明する。図１は、この発明の一実施形態に係る画像形成装置を複合機に適合した場合の複合機１１の外観を示す概略図である。図２は、図１に示す複合機１１の構成を示すブロック図である。
【００１３】
図１および図２において、複合機１１は、制御部１２と、操作部１３と、画像読み取り部１４と、画像形成部１５と、手差しトレイ１７と、給紙カセット１８と、排出トレイ１９と、用紙搬送部２５と、定着部２９と、ハードディスク３２と、を備える。
【００１４】
制御部１２は、複合機１１全体の制御を行う。制御部１２は、ＣＰＵ等から構成されており、一時的にデータを記憶する記憶部としての主記憶メモリ３１を含む。なお、図１において、制御部１２は、二点鎖線で概略的に示す。操作部１３は、情報を表示する表示画面２１を含む。表示画面２１は、液晶のタッチパネル機能を有しており、ユーザーの指での押圧等により、表示画面２１からも画像形成条件等を入力させると共に、機能の選択等を行うことができる。画像読み取り部１４は、載置台（図示せず）上にセットされた原稿を読み取ることによって原稿の画像を取得する。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）１６を含む。
【００１５】
用紙搬送部２５は、複数の搬送ローラーを含み、手差しトレイ１７や給紙カセット１８にセットされた用紙を画像形成部１５へ搬送する。画像形成部１５は、画像読み取り部１４により取得された原稿の画像を基に、手差しトレイ１７や給紙カセット１８から搬送されてきた用紙に画像を形成する。画像形成部１５により画像を形成した用紙は、用紙搬送部２５により定着部２９に搬送される。用紙搬送部２５は、画像形成部１５と定着部２９との間に配置されるレジストローラー３０、および搬送ローラー３３を含む。搬送ローラー３３は、用紙に当接し、副走査方向に垂直な方向である主走査方向に移動可能である。搬送ローラー３３は、用紙の搬送方向に対応して回転して、用紙を搬送する。そして、用紙は排出トレイ１９に排出される。記憶部としてのハードディスク３２は、送信された画像データや入力された画像形成条件等、画像形成に関するデータを記憶する。なお、副走査方向とは、用紙の搬送方向に沿った方向である。
【００１６】
次に、複合機１１に備えられる画像形成部１５の構成について、詳細に説明する。画像形成部１５は、中間転写体としての転写ベルト２３と、転写部としての二次転写ローラー２４とを含む。なお、複合機１１は、いわゆる四連タンデム形式の画像形成部１５を備える。画像形成部１５は、イエロー、マゼンタ、シアン、ブラックの各４色に対応し、それぞれ感光体２７ａ、２７ｂ、２７ｃ、２７ｄを含む四つの感光体ユニット２６ａ、２６ｂ、２６ｃ、２６ｄ、および四つの現像器としての現像ユニット２８ａ、２８ｂ、２８ｃ、２８ｄを備える。図１において、感光体ユニット２６ａ〜２６ｄ、および現像ユニット２８ａ〜２８ｄについては、それぞれ概略的に示している。感光体２７ａ〜２７ｄ上に形成された静電潜像に現像ユニット２８ａ〜２８ｄからそれぞれ各色のトナーを供給することで、感光体２７ａ〜２７ｄ上にそれぞれトナー像を形成する。感光体２７ａ〜２７ｄ上に形成されたトナー像はそれぞれ、転写ベルト２３上に一次転写される。転写ベルト２３上に一次転写されたトナー像は、二次転写ローラー２４によって用紙に二次転写される。
【００１７】
次に、複合機１１に備えられる定着部２９の構成について説明する。定着部２９は、定着ベルト２９ａと、定着ロール２９ｂとを含む。定着ベルト２９ａは、シート状の形状を有し、円筒状に加工したものである。定着ベルト２９ａは、金属や合成樹脂等からなる基材層と、シリコーンゴム等からなる弾性層と、及び合成樹脂等からなるコーティング層とを備える積層構造を有する。定着ロール２９ｂは、円筒状の形状を有する。定着ロール２９ｂは、金属製の円筒体又は円柱体の外周面を合成樹脂等からなる層で覆ったものである。トナー像が転写された用紙は、定着ベルト２９ａおよび定着ロール２９ｂの間を通過して熱圧着される。用紙のトナー像が転写された面と定着ベルト２９ａとが当接して、トナー像は用紙に熱圧着される。そして、トナー像は用紙に定着する。
【００１８】
次に、複合機１１に備えられる搬送ローラー３３の構成について説明する。図３は、用紙が搬送ローラー３３を通過する状態を示す模式図である。図３は、定着ベルト２９ａに搬送される用紙Ｓを図１の矢印Ｘ方向とは反対の方向から見たときの図である。なお、副走査方向とは、図３において矢印Ｄ１の方向である。また、図３において、矢印Ｄ１の方向は、矢印Ｚ方向に沿った方向である。図３を参照して、搬送ローラー３３は、一対のローラー部３３ａ、３３ｂと、シャフト部３３ｃと、を含む。一対のローラー部３３ａ、３３ｂは、所定の間隔を開けて離間され、シャフト部３３ｃに固定されている。ローラー部３３ａ、３３ｂは、ゴム製のローラーである。用紙Ｓは、一対のローラー部３３ａ、３３ｂに当接して搬送される。
【００１９】
次に、複合機１１に備えられる制御部１２の構成について説明する。図２を参照して、制御部１２は、用紙移動制御部１２１を備える。用紙移動制御部１２１は、用紙搬送部２５により搬送される用紙が定着ベルト２９ａに到達する前に、所定のタイミングで搬送ローラー３３を主走査方向に移動させて、用紙を主走査方向に移動させる。これらの構成については、後に詳述する。
【００２０】
次に、定着ベルト２９ａに搬送される用紙Ｓの枚数が所定の枚数を超えた際に、用紙Ｓを主走査方向に移動する場合について説明する。図４は、定着ベルト２９ａに搬送される用紙Ｓの枚数が所定の枚数を超えた際に用紙Ｓを主走査方向に移動する場合の処理の流れを示すフローチャートである。
【００２１】
図４を参照して、まず、画像形成部１５によりトナー像を形成して用紙Ｓに転写する（図４において、ステップＳ１１、以下、「ステップ」を省略する）。そして、用紙搬送部２５により、トナー像が転写された用紙Ｓを定着ベルト２９ａに搬送する。次に、定着ベルト２９ａに搬送される用紙Ｓの枚数をハードディスク３２に記憶する。そして、用紙移動制御部１２１により、ハードディスク３２に記憶された用紙Ｓの枚数の積算値を算出する。ここで、定着ベルト２９ａに搬送される用紙Ｓの枚数の積算値は、用紙Ｓによる定着ベルト２９ａの摩耗の程度を示す指標として算出される。次に、用紙Ｓの枚数の積算値が所定の枚数を超えたか否かが判断される（Ｓ１２）。ここで、所定の枚数とは、１００００枚等である。用紙Ｓの枚数の積算値が所定の枚数を超えたと判断されれば（Ｓ１２においてＹＥＳ）、用紙Ｓが定着ベルト２９ａに到達する前に、搬送ローラー３３を主走査方向に移動させて、用紙Ｓを主走査方向に移動させる（Ｓ１３）。そして、トナー像が転写された用紙Ｓは、定着ベルト２９ａおよび定着ロール２９ｂの間を通過して、トナー像は用紙Ｓに定着する（Ｓ１４）。
【００２２】
図５および図６は、用紙Ｓが搬送ローラー３３を通過する状態を示す模式図である。図５および図６は、定着ベルト２９ａに搬送される用紙Ｓを図１の矢印Ｘ方向とは反対の方向から見たときの図である。図３および図５を参照して、用紙Ｓの枚数の積算値が所定の枚数を超えたと判断されれば、一対のローラー部３３ａ、３３ｂは、主走査方向に移動する。なお、主走査方向とは、図３において、矢印Ｙ方向およびその反対方向である。図３および図５を参照して、一対のローラー部３３ａ、３３ｂは、矢印Ｙ方向とは反対の方向に移動する。そして、図６を参照して、一対のローラー部３３ａ、３３ｂの移動に併せて、用紙Ｓの位置が主走査方向に移動する。図６では、用紙Ｓは、一対のローラー部３３ａ、３３ｂの移動に併せて、矢印Ｙ方向とは反対の方向に移動する。図３における、用紙Ｓの初期の位置をＰ１とし、用紙Ｓの移動後の位置をＰ２とする。用紙Ｓの初期の位置Ｐ１から、移動後の位置Ｐ２は、矢印Ｙ方向とは反対の方向にＬ１だけ移動する。ここで、Ｌ１は、例えば３０ｍｍである。
【００２３】
このような複合機１１によれば、用紙Ｓが定着ベルト２９ａに到達する前に、所定のタイミングで搬送ローラー３３を主走査方向に移動させて、用紙Ｓを主走査方向に移動させる。このようにすることで、定着ベルト２９ａにおいて、用紙Ｓの副走査方向の端部が当たる定着ベルト２９ａの箇所を変えることができる。また、用紙搬送部２５における搬送ローラー３３の主走査方向への移動という簡易な構成により、搬送される用紙Ｓの位置を変えることができる。従って、簡易な構成で定着ベルト２９ａのコーティングの摩耗を低減させることができる。
【００２４】
なお、Ｓ１２において、定着ベルト２９ａに搬送される用紙Ｓの枚数の積算値が、所定の枚数を超えなければ（Ｓ１２においてＮＯ）、用紙Ｓの位置は移動させずに、そのまま定着ベルト２９ａに搬送される。そして、トナー像が転写された用紙Ｓは、定着ベルト２９ａおよび定着ロール２９ｂの間を通過して、トナー像は用紙Ｓに定着する（Ｓ１４）。
【００２５】
また、Ｓ１２において、用紙移動制御部１２１は、定着ベルト２９ａに搬送される用紙の枚数の積算値が所定の枚数を超えたと判断すれば（Ｓ１２においてＹＥＳ）、ハードディスク３２に記憶された用紙Ｓの枚数をゼロにリセットするようにしてもよい。このようにすることで、用紙Ｓの枚数の積算値が所定の枚数を超えるごとに、定着ベルト２９ａに搬送される用紙Ｓの位置を移動させることができる。その結果、定着ベルト２９ａにおいて、用紙Ｓの端部が当たる定着ベルト２９ａの箇所を変えることができる。
【００２６】
なお、Ｓ１２において、用紙移動制御部１２１は、定着ベルト２９ａに搬送される用紙Ｓの副走査方向の端部の長さを記憶するようにしてもよい。例えば、搬送される用紙Ｓの用紙サイズが、規格化された２１０ｍｍ×２９７ｍｍのＡ４判で、用紙Ｓの長手方向が副走査方向となるように搬送される場合には、用紙Ｓの長手方向の端部の長さが記憶される。そして、用紙移動制御部１２１は、ハードディスク３２に記憶された用紙Ｓの副走査方向の端部の長さを積算した積算値を算出する。ここで、用紙Ｓの副走査方向の端部の長さを積算した積算値は、用紙Ｓによる定着ベルト２９ａの摩耗の程度を示す指標として算出される。そして、用紙Ｓの副走査方向の端部の長さを積算した積算値が、所定の長さを超えたか否かを判断する（Ｓ１２）。ここで、所定の長さとは、２１００ｍｍである。用紙Ｓの副走査方向の端部の長さを積算した積算値が、所定の長さを超えたと判断されれば（Ｓ１２においてＹＥＳ）、搬送ローラー３３を主走査方向に移動させて、用紙Ｓを主走査方向に移動させる（Ｓ１３）。
【００２７】
なお、Ｓ１２において、用紙移動制御部１２１は、用紙Ｓの副走査方向の端部の長さを積算した積算値が、所定の長さを超えたと判断すれば（Ｓ１２においてＹＥＳ）、ハードディスク３２に記憶された用紙Ｓの副走査方向の端部の長さをゼロにリセットするようにしてもよい。このようにすることで、用紙Ｓの副走査方向の端部の長さを積算した積算値が所定の長さを超えるごとに、定着ベルト２９ａに搬送される用紙Ｓの位置を移動させることができる。その結果、定着ベルト２９ａにおいて、用紙Ｓの端部が当たる定着ベルト２９ａの箇所を変えることができる。
【００２８】
なお、複合機１１は、定着ベルト２９ａに搬送される用紙Ｓの副走査方向の端部と、定着ベルト２９ａとが当接する際の摩擦力を計測する計測部３４をさらに備えるようにしてもよい。例えば、搬送される用紙Ｓの用紙サイズが、規格化された２１０ｍｍ×２９７ｍｍのＡ４判で、用紙Ｓの長手方向が用紙Ｓの副走査方向となるように搬送される場合には、用紙Ｓの長手方向の端部と定着ベルト２９ａとが当接する際の摩擦力が計測される。そして、Ｓ１２において、用紙移動制御部１２１は、計測部３４により計測された摩擦力をハードディスク３２に記憶するようにしてもよい。
【００２９】
そして、用紙移動制御部１２１は、ハードディスク３２に記憶された摩擦力を積算した積算値を算出する。ここで、定着ベルト２９ａに搬送される用紙Ｓの副走査方向の端部と、定着ベルト２９ａとが当接する際の摩擦力を積算した積算値は、用紙Ｓによる定着ベルト２９ａの摩耗の程度を示す指標として算出される。そして、定着ベルト２９ａに搬送される用紙Ｓの副走査方向の端部と、定着ベルト２９ａとが当接する際の摩擦力を積算した積算値が、所定の値を超えるか否かを判断する（Ｓ１２）。定着ベルト２９ａに搬送される用紙Ｓの副走査方向の端部と、定着ベルト２９ａとが当接する際の摩擦力を積算した積算値が、所定の値を超えたと判断されれば（Ｓ１２においてＹＥＳ）、搬送ローラー３３を主走査方向に移動させて、用紙Ｓを主走査方向に移動させる（Ｓ１３）。
【００３０】
なお、Ｓ１２において、用紙移動制御部１２１は、定着ベルト２９ａに搬送される用紙Ｓの副走査方向の端部と、定着ベルト２９ａとが当接する際の摩擦力を積算した積算値が、所定の値を超えたと判断すれば（Ｓ１２においてＹＥＳ）、ハードディスク３２に記憶された上記摩擦力をゼロにリセットするようにしてもよい。このようにすることで、定着ベルト２９ａに搬送される用紙Ｓの副走査方向の端部と、定着ベルト２９ａとが当接する際の摩擦力が所定の値を超えるごとに、定着ベルト２９ａに搬送される用紙Ｓの位置を移動させることができる。その結果、定着ベルト２９ａにおいて、用紙Ｓの端部に当たる定着ベルト２９ａの箇所を変えることができる。
【００３１】
なお、図３および図５を参照して、Ｓ１３において、一対のローラー部３３ａ、３３ｂを矢印Ｙ方向に移動させて、用紙Ｓを矢印Ｙ方向に移動させるようにしてもよい。用紙Ｓは、初期の位置Ｐ１から矢印Ｙ方向にＬ１だけ移動するようにしてもよい。ここで、Ｌ１は、例えば３０ｍｍである。また、一対のローラー部３３ａ、３３ｂは、所定のタイミングで初期の位置Ｐ１から矢印Ｙ方向とは反対の方向に移動し、次のタイミングで初期の位置Ｐ１から矢印Ｙ方向に移動するようにしてもよい。用紙Ｓは、初期の位置Ｐ１から矢印Ｙ方向とは反対の方向にＬ１だけ移動し、そして、矢印Ｙ方向にＬ１だけ移動するようにしてもよい。ここで、Ｌ１は、例えば３０ｍｍである。
【００３２】
なお、ローラー部３３ａ、３３ｂはそれぞれ独立して回転するようにしてもよい。そして、所定のタイミングで、ローラー部３３ａ、３３ｂのそれぞれの回転数を変えて、用紙Ｓを主走査方向に移動させるようにしてもよい。例えば、ローラー部３３ａの回転数をローラー部３３ｂの回転数よりも大きくすれば、用紙Ｓを矢印Ｙ方向とは反対の方向に移動させることができる。
【００３３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３４】
この発明に係る画像形成装置は、簡易な構成で定着ベルトのコーティングの摩耗を低減させることが要求される場合に、特に有効に利用される。
【符号の説明】
【００３５】
１１  複合機、１２  制御部、１２１  用紙移動制御部、１３  操作部、１４  画像読み取り部、１５  画像形成部、１６  ＡＤＦ、１７  手差しトレイ、１８  給紙カセット、１９  排出トレイ、２１  表示画面、２３  転写ベルト、２４  二次転写ローラー、２５  用紙搬送部、２６ａ，２６ｂ，２６ｃ，２６ｄ  感光体ユニット、２７ａ，２７ｂ，２７ｃ，２７ｄ  感光体、２８ａ，２８ｂ，２８ｃ，２８ｄ  現像ユニット、２９  定着部、２９ａ  定着ベルト、２９ｂ  定着ローラー、３０  レジストローラー、３１  主記憶メモリ、３２  ハードディスク、３３  搬送ローラー、３３ａ  ローラー部、３３ｂ  ローラー部、３３ｃ  シャフト部、３４  計測部、Ｓ  用紙。
【図１】
2018155859.tif 000003
【図２】
2018155859.tif 000004
【図３】
2018155859.tif 000005
【図４】
2018155859.tif 000006
【図５】
2018155859.tif 000007
【図６】
2018155859.tif 000008